(57)【特許請求の範囲】
【請求項１】
有底筒状のハウジングにコイル、固定コア、作動杆が一体的に取着された可動コアを収納配置するとともに、前記作動杆の一端が、ハウジングに配置せる第１軸受部材によってセンタリング支持され、作動杆の他端が固定コアに穿設された作動杆挿通孔内を通ってハウジング外に向かって延びるとともにその外方突出端が第２軸受部材によってセンタリング支持された電磁装置において、作動杆挿通孔７内に通気性を有する材料によって形成される環状のフィルター部材Ｆを嵌合配置し、フィルター部材Ｆの内方孔２０Ａを作動杆５の外周面に摺接して配置したことを特徴とする電磁装置。
【発明の詳細な説明】
【０００１】
【産業上の利用分野】
本発明は、ハウジング内に、コイル、固定コア、作動杆が一体的に取着された可動コアとを備えた電磁装置に関するものである。
【０００２】
【従来の技術】
従来の電磁装置Ｓについて、図３により説明する。１は左端が開口し、右端に底部１Ａを有する有底筒状のハウジングであり、底部１Ａから開口側に向かって可動コア案内孔１Ｂが穿設されたガイド突部１Ｃが突出して形成される。ハウジング１の開口はフランジ状のヨーク２Ａによって閉塞され、ヨーク２Ａには、ハウジング１内に向かって突出する（図において右方）第１の固定コア２Ｂと、外側方Ａ（図において左方）に向かって突出する第２の固定コア２Ｃが一体的に形成される。以下、フランジ状のヨーク２Ａ、第１の固定コア２Ｂ、第２の固定コア２Ｃとによって形成される部材を単に固定コア２という。又、ハウジング１内にあって、固定コア２及びガイド突部１Ｃの外周には、周囲にコイル３が巻回されたコイルボビン４が収納配置され、更に、可動コア案内孔１Ｂ内には作動杆５が一体的に取着された可動コア６が移動自在に配置される。作動杆５の一端５Ａは、ガイド筒部１Ｃの底部近傍にあって、可動コア案内孔１Ｂと同芯に穿設された軸受嵌合孔１Ｄ内に嵌合配置される第１軸受部材Ｊ１にて移動自在にセンタリング支持される。又、作動杆５の他端５Ｂは、固定コア２の長手方向の中心Ｘ−Ｘに貫通して穿設された作動杆挿通孔７を通ってハウジング１より外側方Ａへ突出するもので、作動杆５の他端５Ｂの外方突出端は、第２軸受部材Ｊ２によって移動自在にセンタリング支持される。この第２軸受部材Ｊ２は、固定コア２を含むハウジング１に取着される筺体８等の部材に配置される。すなわち、作動杆５は、その両端５Ａ、５Ｂが、第１、第２軸受部材Ｊ１、Ｊ２にて移動自在にセンタリング支持されるもので、これによって可動コア６は可動コア案内孔１Ｂ内にあって固定コア２に向けて進退自在に配置される。そして、かかる電磁装置Ｓに流れる電流値に比例して、可動コア６の位置を変位させるものである。
【０００３】
【発明が解決しようとする課題】
固定コア２に貫通して穿設された作動杆挿通孔７は、固定コア２の外方端面２Ｄに開口するもので、これによると、作動杆挿通孔７が開口する筐体８内の異物あるいは開口雰囲気中に含まれる異物が作動杆挿通孔７を介してハウジング１内へ侵入する恐れがある。具体的に、可動コア６と可動コア案内孔１Ｂとの間の間隙、あるいは作動杆５の一端５Ａと第１軸受部材Ｊ１との摺動間隙内にこの異物が侵入すると、作動杆５の摺動抵抗が増加することにより、（１）電流値に比例した作動杆の正確な位置制御が得られない。（２）電流値に対する作動杆の良好な応答速度が得られない。という不具合を生ずる。一方、作動杆挿通孔７と作動杆５とによって形成される環状の間隙を微小として異物の侵入を抑止することも考慮されるが、作動杆５の一端５Ａのセンタリング支持をハウジング１の第１軸受部材Ｊ１にて行ない、作動杆５の他端５Ｂのセンタリング支持を、ハウジング１と別部材の筐体８に配置した第２軸受部材Ｊ２にて行なうものにあっては、作動杆挿通孔７の軸芯と作動杆５の軸芯との同芯精度を正確にだすことが極めて困難である。このように正確な同芯精度を得られない状態において、前記環状の間隙を微小に形成すると、作動杆５と作動杆挿通孔７とが一側に偏寄し、部分的にそれらが接触して作動杆５の摺動抵抗が増加して好ましいものでない。
【０００４】
本発明は上記課題に鑑み成されたもので、作動杆の正確な位置制御と良好な作動杆の応答速度を得ることのできる電磁装置を提供することを主目的とする。
【０００５】
【課題を達成する為の手段】
前記目的を達成する為に、本発明は、有底筒状のハウジングにコイル、固定コア、作動杆が一体的に取着された可動コアを収納配置するとともに、前記作動杆の一端が、ハウジングに配置せる第１軸受部材によってセンタリング支持され、作動杆の他端が固定コアに穿設された作動杆挿通孔内を通ってハウジング外に向かって延びるとともにその外方突出端が第２軸受部材によってセンタリング支持された電磁装置において、作動杆挿通孔内に通気性を有する材料によって形成される環状のフィルター部材を嵌合配置し、フィルター部材の内方孔を作動杆の外周面に摺接して配置したことを特徴とする。
【０００６】
【作用】
外側方に開口する作動杆挿通孔からハウジング内に侵入する異物は、フィルター部材によって除去され、ハウジング内へ異物が侵入することが抑止される。従って、ハウジング内を常に清浄な状態に保持できるので、作動杆の摺動抵抗を常に一定に保持することができる。
【０００７】
【実施例】
以下、本発明になる電磁装置の一実施例を図により説明する。尚、従来と同一構造部分については同一符号を使用して説明を省略する。図１には本発明の電磁装置Ｓの１実施例が示される。又、図２には本発明の電磁装置に用いられるフィルター部材Ｆが示される。フィルター部材Ｆは、環状のフィルター２０と、フィルター２０の外周部分を収納して保持するケース２１とによって形成される。フィルター２０は発泡樹脂材料、フェルト、スポンジ、繊維質、等の通気性を有する材料によって厚肉環状に形成されるもので、中心部には作動杆５の外周に摺接する内方孔２０Ａが穿設される。ケース２１は、フィルター２０の外周面２０Ｂと、外周面２０Ｂに近い側の一側面２０Ｃと他側面２０Ｄの外周部分の一部を囲繞するリング形状をなすものであり、フィルター２０はこのケース２１内に収納配置される。フィルター２０がケース２１に収納された状態において、フィルター２０の内方孔２０Ａ及び一側面２０Ｃ、他側面２０Ｄのおおくの部分はケース２１によって閉塞されることはなく、直接的に開口するものでなければならない。
【０００８】
そして、このフィルター部材Ｆは、固定コア２の外方端面２Ｄ（外方端面２Ｄとは固定コア２の外側方Ａの端部であって図１において第２の固定コア２Ｃの左端をいう）より作動杆挿通孔７内へ嵌合配置される。又、フィルター部材Ｆの内方孔２０Ａ（この内方孔はフィルター２０の内方孔２０Ａに相当する）は作動杆５の外周面に摺接する。
【０００９】
以上によると、外方端面２Ｄに開口する作動杆挿通孔７内に異物が侵入すると、この異物はフィルター部材Ｆによって確実に除去されるので、ハウジング１内へ異物が侵入することは抑止される。従って、可動コア案内孔１Ｂと可動コア６との間の摺動間隙及び作動杆５の一端５Ａと第１軸受部材Ｊ１との摺動間隙は常に清浄なる状態に保持されるので作動杆５の摺動抵抗を長期間に渡って増加させることがない。
【００１０】
又、フィルター部材Ｆの内方孔２０Ａは、作動杆５の外周面に摺接するものであるが、通気性を有する材料によってフィルター２０を形成したので、比較的小なる弾性荷重がフィルター２０の内方孔２０Ａから作動杆５の外周に加えられるもので、作動杆の摺動抵抗を大きく増加させることがない。
【００１１】
又、可動コア６の往復動時において、可動コア６が収納される室、例えば可動コア案内孔１Ｂ内の室容積が増減して、室内の圧力が変化するものであるが、この圧力変動に対し、フィルター２０はブリージング効果（呼吸孔効果）を奏するので、可動コア６、作動杆５の移動に対して何等の抵抗となるものでない。
【００１２】
更に又、作動杆挿通孔７は、フィルター部材Ｆを嵌合する為に、作動杆５の外径に比較して大径に形成されるものであり、これによると、作動杆挿通孔７の軸芯と、作動杆５の軸芯とが多少偏芯して形成された場合にあっても、その偏芯をフィルター部材Ｆの弾性によって吸収することができる。従って、作動杆５の摺動抵抗を増加させることがなく、一定の摺動抵抗状態に保持できる。尚、上記作動杆５と作動杆挿通孔７との偏芯によると、フィルター部材Ｆの内方孔２０Ａに対する作動杆５の押圧荷重がその偏芯した方向において増加することが考えられるが、フィルター２０は通気性材料によって弾性力を有して形成されるので、作動杆５の摺動抵抗を大きく増加させるに至らない。
【００１３】
尚、作動杆５を移動自在にセンタリング支持するに当り、作動杆５の他端５Ｂに円錐突部を設け、該円錐突部を円錐凹部によって支持させてもよい。要は、作動杆５の両端が支持部材によってセンタリング支持されればよい。
【００１４】
以上の如く、作動杆５の摺動抵抗を、長期間に渡ってほぼ一定の摺動状態に安定保持することができたことによると、▲１▼電流値に比例した作動杆５の正確な位置制御を長期間に渡って安定して制御できる。而して、かかる電磁装置を、油圧制御弁の駆動用アクチュエータとして使用した際、電流値に比例した正確な油圧制御を行なうことができる。▲２▼電流値に比例した作動杆５の良好な応答速度を得ることができるもので、上記と同様に油圧制御弁に用いた場合、応答性の優れた油圧制御を行なうことができる。▲３▼ハウジング１内は常に清浄な状態に保持されるので、可動コア６、可動コア案内孔１Ｂ、作動杆５の材質、表面処理の選択を極めて簡単に行なうことができるので開発コストの低減を達成できる。▲４▼フィルター部材Ｆは固定コア２の作動杆挿通孔７内に嵌合配置すればよいので、従来の電磁装置の構造を変更することなく実施できるもので、その実施が容易に行なうことができるとともに従来のものとの互換性を有する。
【００１５】
【発明の効果】
以上の如く、本発明の電磁装置によると、作動杆を長期に渡ってほぼ一定の低摺動抵抗状態に保持することができたので、作動杆の正確な位置制御と、作動杆の良好な応答速度を得ることができるとともにハウジング内に形成される摺動部分における材質選定、表面処理の選定を極めて簡単に行なうことができる。更には、従来の電磁装置への適応を容易に図ることができる。
【図面の簡単な説明】
【図１】本発明になる電磁装置の一実施例を示す縦断面図。
【図２】図１の電磁装置に使用されるフィルター部材Ｆの一実施例を示す縦断面図。
【図３】従来の電磁装置を示す縦断面図。
【符号の説明】２      固定コア
５      作動杆
７      作動杆挿通孔
Ｆ      フィルター部材
２０Ａ  フィルター部材の内方孔
【図１】
0003570005.tif 000002
【図２】
0003570005.tif 000003
【図３】
0003570005.tif 000004